(57)【要約】      （修正有）【課題】液体容器が装着される装着部の掃除が容易に出来、衛生状態を維持することが出来る給液装置を提供する。【解決手段】液体を貯留する液体容器の口部及び／又はネック部に設けられた開封機構と接続されるジョイント部材１１０を保持するジョイント保持部材８０と、ジョイント保持部材８０上に設けられ、液体容器を保持し、保持された液体容器の開封機構をジョイント保持部材８０側に露出させる貫通口を有する容器保持部材９０とを備える。【選択図】図３
2015037964.tif 000002
【特許請求の範囲】
【請求項１】
液体を貯留する液体容器の口部及び／又はネック部に設けられた開封機構と接続されるジョイント部材を保持するジョイント保持部材と、
上記ジョイント保持部材上に設けられ、上記液体容器を保持し、該保持された液体容器の開封機構を上記ジョイント保持部材側に露出させる貫通口を有する容器保持部材とを備えることを特徴とする給液装置。
【請求項２】
上記容器保持部材は、上記貫通口の周辺に上記液体容器の開封機構が収納される凹部を有し、
上記凹部は、上記液体容器の開封機構の軸線を上記ジョイント部材の軸線に略一致させるように構成されることを特徴とする請求項１記載の給液装置。
【請求項３】
上記凹部は、上記液体容器の開封機構の軸線を上記容器保持部材の軸線と略一致させ、
上記ジョイント保持部材の側壁部は、上記容器保持部材の軸線を上記ジョイント部材の軸線と略一致させることを特徴とする請求項２記載の給液装置。
【請求項４】
上記容器保持部材は、上記ジョイント保持部材の側壁部に、上記ジョイント部材の軸方向に摺動可能に設けられていることを特徴とする請求項１−３の何れか記載の給液装置。
【請求項５】
上記容器保持部材は、上記ジョイント保持部材から離脱可能に設けられていることを特徴とする請求項１−４の何れか記載の給液装置。
【請求項６】
上記容器保持部材は、上記ジョイント保持部材に対する定位置において上記液体容器の荷重によって、上記ジョイント保持部材の側壁部にガイドされ、摺動しながら変位し、上記開封機構と上記ジョイント部材とが接続されるようにガイドすることを特徴とする請求項１−５の何れか記載の給液装置。
【請求項７】
上記容器保持部材は、外部からの荷重が無い状態では上記ジョイント保持部材の側壁部に対する定位置に復帰するように構成されることを特徴とする請求項１−６の何れか記載の給液装置。
【発明の詳細な説明】
【技術分野】
【０００１】
本発明は、液体を貯留する液体容器が装着される給液装置に関する。
【背景技術】
【０００２】
ウォータサーバ等の給液装置では、ミネラルウォータ等の液体を貯留する液体容器がサーバ本体の例えば上部等に装着されることが多い。更に、この種の給液装置は、深い凹状の装着部の底面部に、液体容器と連結されるジョイント部材が設けられている（特許文献１，２参照）。これらのジョイント部材は、例えば、全体がピン状を成し、周囲に、液体容器から液体を取り込む取込開口部が形成されている。そして、給液装置は、液体容器が装着部に装着された際、ジョイント部材が液体容器の口部に突き刺さり連結されることで、取込開口部から液体容器の液体を取り込むことが出来る。
【０００３】
しかしながら、従来の給液装置は、装着部が深い凹状に形成されていると共に、液体容器の口部よりもやや大きなだけの小さな直径で形成されている。従って、従来の給液装置は、装着部から液体容器を取り外した際に、装着部の内部に溜まった液体や付着した塵埃や雑菌等の掃除がし難い。
【先行技術文献】
【特許文献】
【０００４】
【特許文献１】特開２０１１−０４６４４６号公報
【特許文献２】特開２０１０−２６９８２９号公報
【発明の概要】
【発明が解決しようとする課題】
【０００５】
本発明は、以上のような課題に鑑みてなされたものであり、液体容器が装着される装着部の掃除が容易に出来、衛生状態を維持することが出来る給液装置を提供することを目的とする。
【課題を解決するための手段】
【０００６】
本発明に係る給液装置は、液体を貯留する液体容器の口部及び／又はネック部に設けられた開封機構と接続されるジョイント部材を保持するジョイント保持部材と、上記ジョイント保持部材上に設けられ、上記液体容器を保持し、該保持された液体容器の開封機構を上記ジョイント保持部材側に露出させる貫通口を有する容器保持部材とを備える。
【０００７】
更に、上記容器保持部材は、上記貫通口の周辺に上記液体容器の開封機構が収納される凹部を有し、上記凹部は、上記液体容器の開封機構の軸線を上記ジョイント部材の軸線に略一致させるようにしても良い。
【０００８】
更に、上記凹部は、上記液体容器の開封機構の軸線を上記容器保持部材の軸線と略一致させ、上記ジョイント保持部材の側壁部は、上記容器保持部材の軸線を上記ジョイント部材の軸線と略一致させるようにしても良い。
【０００９】
更に、上記容器保持部材は、上記ジョイント保持部材の側壁部に、上記ジョイント部材の軸方向に摺動可能に設けられているようにしても良い。
【００１０】
更に、上記容器保持部材は、上記ジョイント保持部材から離脱可能に設けられているようにしても良い。
【００１１】
更に、上記容器保持部材は、上記ジョイント保持部材に対する定位置において上記液体容器の荷重によって、上記ジョイント保持部材の側壁部にガイドされ、摺動しながら変位し、上記開封機構と上記ジョイント部材とが接続されるようにガイドするようにしても良い。
【００１２】
更に、上記容器保持部材は、外部からの荷重が無い状態では上記ジョイント保持部材の側壁部に対する定位置に復帰するように構成されるようにしても良い。
【発明の効果】
【００１３】
本発明の給液装置１は、ジョイント保持部材８０に突設された突部８１上にジョイント部材１１０が保持されているので、液体容器体２０がジョイント部材１１０から取り外された際に液体がジョイント保持部材８０にこぼれても、従来の給液装置のようにジョイントが凹状の装着部の底面に設けられていないので、容易に液体や塵埃や雑菌等を拭きとることが出来、従来よりも簡単に掃除をすることが出来る。従って、本発明の給液装置１は、従来よりも容易に衛生状態を維持することが出来る。
【図面の簡単な説明】
【００１４】
【図１】本発明を適用した給液装置を示す斜視図である。
【図２】液体容器体を示した断面図である。
【図３】装着機構を示した断面図である。
【図４】開封機構を示した断面図である。
【図５】容器コネクタを示した断面図である。
【図６】開封部材を示した断面図である。
【図７】開封機構を示した斜視図である。
【図８】（Ａ）は、取込開口部が露出されたジョイント部材を示した斜視図であり、（Ｂ）は、取込開口部が覆われたジョイント部材を示した斜視図である。
【図９】液体容器体が容器保持部材内に挿入された装着機構を示した断面図である。
【図１０】ジョイント部材の先鋭部によって液体容器体のタンパーエビデンスフィルムが切り裂かれた装着機構を示した断面図である。
【図１１】開封部材内にジョイント部材のシャッタ部が差し込まれた装着機構を示した拡大断面図である。
【図１２】開封部材内でジョイント部材の取込開口部が露出された装着機構を示した拡大断面図である。
【図１３】開封部材の刃部で容器コネクタの底部の打抜部を打ち抜いた装着機構を示した断面図である。
【図１４】開封部材の刃部で容器コネクタの底部の打抜部を打ち抜いた装着機構を示した拡大断面図である。
【図１５】液体容器体が高さ方向の一端側に持ち上げられた装着機構を示した断面図である。
【図１６】開封部材が容器コネクタのコネクタ部内に収納された装着機構を示した拡大断面図である。
【図１７】開封部材内でジョイント部材の取込開口部が覆われた装着機構を示した拡大断面図である。
【図１８】液体容器体がジョイント部材から離脱された装着機構を示した断面図である。
【図１９】液体容器体が容器保持部材から離脱された装着機構を示した断面図である。
【発明を実施するための形態】
【００１５】
以下、本発明を適用した給液装置について、図面を参照しながら詳細に説明する。なお、本発明は以下の例に限定されるものではなく、本発明の要旨を逸脱しない範囲で任意に変更可能である。
【００１６】
本発明を適用した給液装置１は、例えばウォータサーバ等であり、図１に示すように、本体１０と、本体１０内に設けられ、ミネラルウォータ等の液体を貯留する液体容器体２０が装着される装着機構３０とを備えている。更に、図２に示すように、液体容器体２０は、容器２１と容器２１が収納される収納箱２２とで構成され、容器２１のネック部２４に注水口となる開封機構４０が取り付けられている。更に、装着機構３０は、図３に示すように、液体容器体２０の開封機構４０と連結されるジョイント部材１１０と、液体容器体２０をジョイント部材１１０に対して位置決めすると共に、液体容器体２０をジョイント部材１１０の軸方向（高さ方向Ｚ）に摺動させて液体容器体２０の開封機構４０をジョイント部材１１０に連結させる位置決め昇降機構７０とを有している。
【００１７】
＜本体＞
本体１０は、図１に示すように、液体を冷却する冷却タンク（不図示）と液体を温める加熱タンク（不図示）とを内蔵している。冷却タンクは、例えば配管を介して装着機構３０のジョイント部材１１０と連結されており、装着機構３０に装着された液体容器体２０から流入された液体を、本体１０に内蔵された熱交換器等の冷却装置によって所定の温度となるように冷やす。加熱タンクは、例えば配管を介して装着機構３０のジョイント部材１１０又は冷却タンクと連結されており、装着機構３０に装着された液体容器体２０又は冷却タンクから流入された液体を、本体１０に内蔵されたヒーター等の加熱装置によって所定の温度となるように温める。
【００１８】
また、本体１０の前面１０ａには、冷却タンクで冷やされた液体を外部に供給する第一供給口（不図示）と、加熱タンクで温められた液体を外部に供給する第二供給口（不図示）とが設けられている。第一供給口は、例えば配管を介して冷却タンクと連結されており、使用者等によって操作されると、冷却タンクで冷やされた液体を外部に供給する。第二供給口は、例えば配管を介して加熱タンクと連結されており、使用者等によって操作されると、加熱タンクで加熱された液体を外部に供給する。なお、供給口は、冷い液体を供給する第一供給口と温かい液体を供給する第二供給口とに分かれているが、一つの供給口で冷い液体と温かい液体とを切り替えて供給する構造であっても良い。
【００１９】
また、本体１０の下部に形成された空間部１１内には、本体１０の縦幅方向（前面・後面方向）Ｘに摺動可能な摺動機構１２が設けられており、この摺動機構１２の摺動板１２ａ上に、液体を貯留する液体容器体２０が装着される装着機構３０が設けられている。摺動機構１２は、装着機構３０に液体容器体２０が取り付けられる又は装着機構３０から液体容器体２０が取り外される際、縦幅方向Ｘの一端側（外部側）に摺動させることで、装着機構３０を本体１０の空間部１１から外部に引き出すことが出来る。その一方で、摺動機構１２は、装着機構３０に液体容器体２０が取り付けられた後、縦幅方向Ｘの他端側（空間部１１側）に摺動させることで、装着機構３０を本体１０の空間部１１に収納することが出来る。
【００２０】
従って、本体１０は、下部に形成された空間部１１に液体容器２０を収納することが出来るので、従来の給液装置のように本体の上部に容器装着部（容器収納部）が設けられているものよりも、液体容器体２０を持ち上げる負担を軽減することが出来、容易に液体容器体２０の取り付けを行うことが出来る。更に、本体１０は、液体容器体２０が装着される装着機構３０を摺動機構１２によって容易に空間部１１から引き出すことが出来るので、単に本体の下部に容器収納部が設けられているものよりも、容易に液体容器体２０の取り付けを行うことが出来る。
【００２１】
＜液体容器体＞
液体容器体２０は、図２に示すように、液体を貯留する容器２１と、容器２１が収納される収納箱２２とで構成されている。容器２１は、ネック部２４に注水口となる開封機構４０が取り付けられている。更に、容器２１は、例えば、段ボール等によって組み立てられた収納箱２２の高さ方向の一端側の一端面２２ａに形成された貫通口２３から開封機構４０が外部に突出するように、収納箱２２に収納されている。すなわち、液体容器体２０は、所謂、ＢＩＢ（バックインボックス）型の構造を有している。そして、液体容器体２０は、容器２１が収納箱２２に収納されたままの状態で、開封機構４０が突出されている収納箱２２の一端面２２ａを挿入端として、装着機構３０に挿入されて装着される。なお、収納箱２２は、高さ方向の他端側の他端面に他端側に一対のフラップ部を延在させて、フラップ部に貫通口を形成して、使用者が液体容器体２０を装着機構３０に取り付ける又は装着機構３０から取り外す際に把持される把持部を設けるようにしても良い。
【００２２】
＜容器＞
容器２１は、液体を貯留する容器であって、例えばポリプロピレン、ポリエチレン、ポリアミド（ナイロン）、ポリエチレンテレフタレート等の合成樹脂材料で成形された容量が可変の可撓性容器や、例えばポリエチレンテレフタレート（ＰＥＴ）等の合成樹脂材料でブロー成形等によって成形された容量が可変でないハード容器が用いられる。このような容器２１には、液体として、水、ミネラルウォータ等の他に、ジュース、コーヒー、紅茶、スープ等の液体の他、ゲル状乃至スラリー状の流動体や砂糖や塩等の混入した砂状流動体等を収容することが出来る。
【００２３】
＜開封機構＞
更に、容器２１には、図４に示すように、ネック部２４が設けられている。更に、ネック部２４の先端には、注水口となる開封機構４０が設けられている。この開封機構４０は、ネック部２４に取り付けられる容器コネクタ５１と、容器コネクタ５１内に配設される開封部材６１とで構成されている。
【００２４】
＜容器コネクタ＞
容器コネクタ５１は、図４及び図５に示すように、有底筒状のコネクタ部５２の基端部に、容器２１の筒状のネック部２４に固定するための取付部５３が外側に張り出して形成されている。この取付部５３は、コネクタ部５２に一体に設けられ、コネクタ部５２を覆うようにコネクタ部５２の外周に設けられた筒状の第一筒状部５３ａと、第一筒状部５３ａの先端部に基端側に外折りに設けられた第二筒状部５３ｂとで構成されている。第一筒状部５３ａの外径は、ネック部２４の内径とほぼ同じ大きさに形成され、第二筒状部５３ｂの内径は、ネック部２４の外径とほぼ同じ大きさに形成されている。更に、第二筒状部５３ｂの内周面には、ネック部２４の外周面の先端部又は先端部近傍に形成されたネック側嵌合部２４ａと嵌合する取付部側嵌合部５３ｃが形成されている。そして、容器コネクタ５１は、容器コネクタ５１の取付部５３の第一筒状部５３ａと第二筒状部５３ｂとの間の隙間に容器２１のネック部２４を差し込み、第一筒状部５３ａと第二筒状部５３ｂとでネック部２４を狭持した状態で、第二筒状部５３ｂの取付部側嵌合部５３ｃをネック部２４のネック側嵌合部２４ａと嵌合させることで、容器２１に固定される。
【００２５】
また、有底筒状のコネクタ部５２の底部は、開封部材６１によって打ち抜かれる打抜部５４となる。ここでは、打抜部５４の周囲は、薄肉部５４ａが設けられており、開封部材６１で打抜部５４を打ち抜き易くなっている。更に、コネクタ部５２の底部には、略中央部に容器２１側に向けて凹状の凹部５４ｂが設けられている。この凹部５４ｂは、開封部材６１がジョイント部材１１０によって押される際にジョイント部材１１０の先端部に形成された突破部１１５が収納される凹部６５の逃げ部である。これにより、コネクタ部５２の底部は、凹部６５に干渉されることなく、開封部材６１の刃部６３と当接することが出来る。
【００２６】
更に、コネクタ部５２の内周面には、段差によって構成されたストッパ５５が形成されている。このストッパ５５は、開封部材６１の突部６６と係止されることで、開封部材６１が容器２１の打抜部５４を打ち抜いた際に開封部材６１が容器２１の内部に抜脱しないように構成されている。
【００２７】
更に、コネクタ部５２の内周面には、内側に張り出すように係止部５６が形成されている。この係止部５６は、例えば、コネクタ部５２の内周面のストッパ５５よりも基端側に、コネクタ部５２の内側にリング状に突設されて凸リング状に設けられている。そして、係止部５６は、開封部材６１の筒状部６２の外周面に形成された封止部６８と係止することで、開封部材６１が先端側からコネクタ部５２の外部に抜脱しないようにする。
【００２８】
更に、容器コネクタ５１の取付部５３の第二筒状部５３ｂの先端側の先端面には、保護フィルム５７が貼着されている。この保護フィルム５７は、例えばタンパーエビデンスフィルム等であり、コネクタ部５２及び開封部材６１を塵埃や雑菌等から保護し、衛生状態を維持する。このような保護フィルム５７は、例えば液体容器体２０がジョイント部材１１０に取り付けられる際に、ジョイント部材１１０の突破部１１５によって切り裂かれる。ここで突破部１１５は、保護フィルム５７にある程度の集中した圧力を付与することが出来るようになっていれば良く、例えば、先鋭状であっても先丸状であっても良く、突破部１１５によって保護フィルム５７がと破断されるように構成される。従って、保護フィルム５７が剥がされていないことや切り裂かれていないことを確認することで、使用者は、容器２１が密封された状態から手が加えられていないことを容易に把握することが出来る。なお、保護フィルム５７は、突破部１１５によって切り裂かれた後に容器コネクタ５１や開封部材６１に干渉しないように、配向性を有する材料で形成され、切り裂かれると、配向方向に沿って内側に折り曲げられ、容器コネクタ５１や開封部材６１から退避するようにしても良い。更に、保護フィルム５７は、張力が付加された状態で取り付けられ、切り裂かれると、第二筒状部５３ｂの縁部側に逃げて、容器コネクタ５１や開封部材６１から退避するようにしても良い。勿論、保護フィルムの破断部には、ハーフカット等による易断部を設けても良い。
【００２９】
＜開封部材＞
開封部材６１は、図４及び図６に示すように、容器コネクタ５１と別部材であり、容器コネクタ５１の打抜部５４を打ち抜いたときに容器２１の内部に挿入される筒状部６２と、容器２１の打抜部５４を打ち抜く刃部６３と、ジョイント部材１１０と連通する連通部６４とを有している。
【００３０】
筒状部６２は、外径が容器コネクタ５１のコネクタ部５２のストッパ５５よりも基端側の内周面の内径とほぼ同じ大きさとなるように形成されており、コネクタ部５２の軸方向に摺動可能にコネクタ部５２内に収納されている。更に、筒状部６２の基端部は、閉塞され、平坦に形成されている。
【００３１】
更に、筒状部６２の基端面には、図７に示すように、その縁部に沿うように、容器２１側に向けて先鋭状をなす刃部６３が少なくとも一個形成されている。例えば、刃部６３は、筒状部６２の基端面の一部の領域の縁部Ｗ以外に複数個形成されている。これにより、打抜部５４は、刃部６３が形成された領域に対応する領域では刃部６３によって打ち抜かれるが、刃部６３が形成されていない領域に対応する領域では打ち抜かれることがなく、この打ち抜かれなかった領域がコネクタ部５２と打抜部５４とを連結する連結部となり、この連結部によって打抜部５４が容器２１内を浮遊することを防止することが出来る。なお、刃部６３は、筒状部６２の基端面の全ての縁部に亘って複数個形成されるようにしても良い。
【００３２】
このような刃部６３は、開封部材６１がジョイント部材１１０によって押されると、容器２１側に移動し、容器コネクタ５１の底部の打抜部５４を打ち抜く。なお、容器コネクタ５１には、薄肉部５４ａが形成され、打ち抜き易くなっているので、刃部６３を設けなくても良い。
【００３３】
また、図４及び図６に示すように、筒状部６２の基端面には、略中心部に容器２１側に向けて凹状の凹部６５が設けられている。この凹部６５は、開封部材６１がジョイント部材１１０によって押される際に、ジョイント部材１１０の先端面に形成された突破部１１５が収納される逃げ部である。これにより、筒状部６２の基端面は、ジョイント部材１１０の突破部１１５に干渉されることなく、ジョイント部材１１０の先端面と密接させることが出来る。なお、ジョイント部材１１０の突破部１１５を凹部６５に収納することで、ジョイント部材１１０と開封部材６１との位置決めを行うようにしても良い。
【００３４】
また、筒状部６２の外周面の先端部には、外側に張り出した突部６６が連続又は断続的に形成されている。この突部６６は、開封部材６１がジョイント部材１１０によって押されてコネクタ部５２内を容器２１側に移動したときに、ストッパ５５に係止されて、開封部材６１の押し込み量を規制し、開封部材６１が容器２１内に抜脱しないようにする。なお、突部６６の外径は、ジョイント部材１１０が開封部材６１を押圧する押圧力を小さくする観点からコネクタ部５２のストッパ５５の内径より小さく設けるようにしても良く、コネクタ部５２の内周面と開封部材６１の外周面との隙間から液体漏れが発生しないように、コネクタ部５２のストッパ５５の内径とほぼ同じ大きさ又はやや大きく設けて、コネクタ部５２のストッパ５５の内周面に圧接するように設けても良い。
【００３５】
また、筒状部６２の外周面の基端側には、外側に張り出した封止部６７，６８が設けられている。封止部６７は、例えば、外側にリング状に少なくとも一個突設された凸リング部や、ゴムパッキン及びＯリング等の別体の封止部材等で構成されており、筒状部６２の外周部の基端部又は基端部近傍に設けられている。封止部６８は、封止部６７と同様に、例えば、外側にリング状に少なくとも一個突設された凸リング部や、ゴムパッキン及びＯリング等の別体の封止部材等で構成されており、筒状部６２の外周部の封止部６７よりも先端側でコネクタ部５２の係止部５６が当接する位置よりも基端側の中途部に設けられている。そして、封止部６７，６８は、コネクタ部５２の係止部５６よりも基端側の内周面に圧接される。これにより、封止部６７，６８は、コネクタ部５２の内周面と開封部材６１の外周面との隙間から液体漏れが発生しないようにしている。更に、開封部材６１は、封止部６７，６８によってコネクタ部５２の内周面に圧入保持されることで、コネクタ部５２の内部で暴れ、刃部６３が欠損することが防止される。
【００３６】
また、筒状部６２の側面部には、開口部６９が複数個形成されており、内部には、容器２１の内部とジョイント部材１１０とを連通する連通部６４が形成されている。この開口部６９は、筒状部６２の側面部の全周に亘って等間隔に複数個形成されている。ここでは、開口部６９は、筒状部６２の側面部の全周に亘って等間隔に二個形成されている。なお、開口部６９は、一個又は三個以上形成されるようにしても良く、非等間隔に形成されるようにしても良い。更に、開口部６９は、筒状部６２の軸方向において、封止部６７，６８間に配置されるように形成されている。そして、開口部６９は、開封部材６１が容器コネクタ５１の底部の打抜部５４を打ち抜いて容器２１の内部に進入した際、容器２１の内部の液体を取り込み、連通部６４に導水し、ジョイント部材１１０に液体を供給する。
【００３７】
以上のような開封機構４０を組み立てるに当たっては、図４に示すように、容器コネクタ５１のコネクタ部５２の先端側から開封部材６１の刃部６３を挿入端として、開封部材６１の全体がコネクタ部５２内に入るまで挿入される。この後、容器コネクタ５１は、取付部５３の第二筒状部５３ｂの先端面に、保護フィルム５７が貼着される。そして、開封部材６１が挿入された容器コネクタ５１は、容器２１のネック部２４に取付部５３が嵌合されて、容器２１に固定される。なお、組立手順は、この順に限定されるものではない。
【００３８】
＜装着機構＞
装着機構３０は、図１に示すように、本体１０の下部に形成された空間部１１内に本体１０の縦幅方向Ｘに摺動可能な摺動機構１２の摺動板１２ａ上に取り付けられている。そして、装着機構３０は、液体容器体２０が取り付けられる又は取り外される際、縦幅方向Ｘの一端側（外部側）に摺動されて、本体１０の空間部１１内から外部に引き出されて、液体容器体２０が取り付けられる又は取り外される。その一方で、装着機構３０は、液体容器体２０が取り付けられた後に、縦幅方向Ｘの他端側（空間部１１側）に摺動されて、本体１０の空間部１１内に収納される。
【００３９】
具体的に、装着機構３０は、図３に示すように、液体容器体２０の開封機構４０と連結されるジョイント部材１１０と、液体容器体２０をジョイント部材１１０に対して位置決めすると共に、液体容器体２０を高さ方向Ｚ（ジョイント部材１１０の軸方向）に摺動させて液体容器体２０の開封機構４０とジョイント部材１１０とを着脱させる位置決め昇降機構７０とを有している。
【００４０】
＜位置決め昇降機構＞
位置決め昇降機構７０は、図３に示すように、ジョイント部材１１０を保持するジョイント保持部材８０と、液体容器体２０を位置決めして保持すると共にジョイント保持部材８０内にジョイント部材１１０の軸方向（高さ方向Ｚ）に摺動可能に設けられ、保持した液体容器体２０をジョイント部材１１０に装着させる容器保持部材９０とを有している。
【００４１】
＜ジョイント保持部材＞
ジョイント保持部材８０は、図３に示すように、底面部８０ａと、底面部８０ａの全周に高さ方向Ｚの一端側に向けて突設された側壁部８０ｂとを有し、上面が開口された平面視略矩形の箱状に形成されている。
【００４２】
更に、ジョイント保持部材８０の底面部８０ａには、高さ方向Ｚの一端側に向けて突設された突部８１と、突部８１の周辺に突部８１よりも一段低い低部８２とが設けられている。更に、この突部８１には、ジョイント部材１１０が底面部８０ａに貫通された状態で保持されている。更に、この突部８１には、ジョイント保持部材８０と容器保持部材９０との間に設けられ、容器保持部材９０を高さ方向Ｚの一端側に付勢する付勢部材１００が嵌合されている。
【００４３】
このようにジョイント保持部材８０は、突部８１上にジョイント部材１１０が取り付けられているので、例えば液体容器体２０がジョイント部材１１０から取り外された際に液体がジョイント保持部材８０にこぼれても、従来の給液装置のようにジョイント部材が凹部の底面に設けられていないので、容易に液体を拭きとることが出来、従来よりも簡単に掃除をすることが出来る。更に、ジョイント保持部材８０は、こぼれた液体はジョイント部材１１０が取り付けられている突部８１よりも一段低い低部８２に溜るので、ジョイント部材１１０と突部８１の間から漏水が発生することを防止することが出来る。更に、ジョイント保持部材８０は、こぼれた液体が底部８２に溜るので、容易に液体を拭きとることが出来、従来よりも簡単に掃除をすることが出来る。従って、当該給液装置１は、衛生状態を維持することが出来る。
【００４４】
なお、ジョイント保持部材８０は、突部８１の上面にこぼれた液体が低部８２により確実に流れるように、突部８１の上面に、中央部から低部８２に向けて次第に低くなるように、傾斜を設けるようにしても良い。更に、ジョイント保持部材８０は、低部８２にこぼれた液体が隅に溜るように、低部８２を突部８１側から側壁部８０ｂ側に向けて次第に薄肉となるように形成して、低部８２に傾斜を設けるようにしても良い。
【００４５】
更に、ジョイント保持部材８０の側壁部８０ｂには、段差によって構成されたストッパ８３が形成されている。このストッパ８３は、容器保持部材９０の底面部９０ａと係止されることで、容器保持部材９０の高さ方向Ｚの他端側の動きを規制する。具体的に、側壁部８０ｂは、底面部８０ａに高さ方向Ｚの一端側に向けて設けられた第一壁部８０ｂ１と、第一壁部８０ｂ１の高さ方向Ｚの一端に外側に張り出すように設けられた第二壁部８０ｂ２と、第二壁部８０ｂ２の先端に高さ方向の一端側に向けて設けられた第三壁部８０ｂ３とで構成されている。第二壁部８０ｂ２は、容器保持部材９０の底面部９０ａと係止されるストッパ８３となる。第三壁部８０ｂ３は、例えば容器保持部材９０と平面視でほぼ同じ大きさとなるように形成されており、容器保持部材９０をジョイント保持部材８０に位置決めすると共に、容器保持部材９０が高さ方向の他端側に摺動する際にガイドする。具体的には、第三壁部８０ｂ３は、容器保持部材９０の凹部９１に形成された貫通口９２の軸線がジョイント保持部材８０のジョイント部材１１０の軸線と略一致するように、容器保持部材９０をジョイント保持部材８０に位置決めする。すなわち、第三壁部８０ｂ３は、容器保持部材９０を位置決めする位置決め部として機能すると共に、容器保持部材９０を摺動する際のガイド部として機能する。なお、第三壁部８０ｂ３は、容器保持部材９０をジョイント保持部材８０内に容易に挿入出来るように、外側に向けて傾斜するように設けても良い。
【００４６】
＜容器保持部材＞
容器保持部材９０は、図３に示すように、内部に液体容器体２０を保持すると共に、ジョイント保持部材８０内にジョイント部材１１０の軸方向（高さ方向）Ｚに摺動可能に設けられており、保持した液体容器体２０をジョイント保持部材８０のジョイント部材１１０に導くものである。
【００４７】
具体的に、容器保持部材９０は、ジョイント保持部材８０と同様に、底面部９０ａと、底面部９０ａの全周に高さ方向Ｚの一端側に向けて突設された側壁部９０ｂとを有し、上面が開口された平面視略矩形の箱状に形成されている。
【００４８】
更に、容器保持部材９０の底面部９０ａには、高さ方向Ｚの他端側に向けて凹設された凹部９１と、凹部９１の底面に容器保持部材９０内に保持された液体容器体２０の開封機構４０をジョイント保持部材８０側に露出させる貫通口９２とが設けられている。凹部９１は、例えば、高さ方向Ｚの他端側に向かうに連れて内側に傾斜するように設けられており、液体容器体２０が容器保持部材９０内に収納される際に、開封機構４０が収納されることで、液体容器体２０を容器保持部材９０に位置決めする。具体的には、凹部９１は、液体容器体２０の開封機構４０の軸線が貫通口９２の軸線と略一致するように、液体容器体２０の開封機構４０を容器保持部材９０に位置決めする。更に、この凹部９１には、液体容器体２０の開封機構４０が収納されるので、液体容器体２０が容器保持部材９０内に収納された際に、収納箱２２の一端面２２ａと容器保持部材９０の底面部９０ａとを確実に当接させることが出来る。更に、この凹部９１には、ジョイント保持部材８０と容器保持部材９０との間に設けられ、容器保持部材９０を高さ方向の一端側に付勢する付勢部材１００が嵌合されている。
【００４９】
更に、容器保持部材９０の側壁部９０ｂは、例えば液体容器体２０（収納箱２２）と平面視でほぼ同じ大きさ又はやや大きくなるように形成されており、液体容器体２０を容器保持部材９０に大まかに位置決めすると共に、液体容器体２０が高さ方向Ｚの他端側に摺動する際にガイドする。すなわち、側壁部９０ｂは、液体容器体２０を位置決めする位置決め部として機能すると共に、液体容器体２０を摺動する際のガイド部として機能する。なお、側壁部９０ｂは、外側に向けて傾斜するように設けても良い。更に、容器保持部材９０は、側壁部９０ｂの外面に、高さ方向Ｚに沿って条状の突条部９３を設けて、この突条部９３をジョイント保持部材８０の側壁部８０ｂの内面に当接させるようにして、ジョイント保持部材８０内に設けられるようにしても良い。
【００５０】
更に、容器保持部材９０は、側壁部９０ｂの内面に、少なくとも一個リブ（不図示）が形成されている。このリブには、容器保持部材９０内に保持された液体容器体２０の収納箱２２に噛み込む返し部が設けられている。更に、この返し部は、収納箱２２に噛み込む係止力が容器保持部材９０とジョイント保持部材８０との間の嵌合力よりもやや小さくなるように、設けられている。従って、容器保持部材９０内に保持された液体容器体２０は、収納箱２２と返し部との間の係止力以下の力で高さ方向Ｚの一端側に持ち上げることで、容器保持部材９０を追従させて高さ方向Ｚの一端側に持ち上げることが出来、収納箱２２と返し部との間の係止力以上で容器保持部材９０とジョイント保持部材８０との間の嵌合力以下の力で高さ方向Ｚの一端側に持ち上げることで、容器保持部材９０から離脱させることが出来る。更に、容器保持部材９０は、容器保持部材９０とジョイント保持部材８０との間の嵌合力以上の力で高さ方向Ｚの一端側に持ち上げられると、ジョイント保持部材８０から離脱させることが出来る。
【００５１】
更に、側壁部９０ｂの高さ方向Ｚの一端部には、使用者が把持する把持部９４が設けられている。この把持部９４は、例えば、側壁部９０ｂの高さ方向Ｚの一端部を外側に折り曲げた折曲部で構成さている。従って、容器保持部材９０は、ジョイント保持部材８０から離脱させてジョイント保持部材８０に溜った液体等を拭きとり掃除する際に、使用者が把持部９４を把持することで、容易に高さ方向Ｚの一端側に引き上げることが出来る。なお、把持部９４は、折曲部で構成されることに限定されるものではなく、使用者が容器保持部材９０を把持することが出来れば、従来公知の如何なる構成であっても良く、例えば、側壁部９０ｂに形成された使用者の指等が挿入可能な貫通口で構成されるようにしても良い。
【００５２】
＜ジョイント部材＞
ジョイント部材１１０は、図４に示すように、内部に通水路１１１ａが形成されると共に、側面部に通水路１１１ａと連通する取込開口部１１１ｂが形成された筒状部１１１と、筒状部１１１の軸方向に摺動可能に設けられ、取込開口部１１１ｂを覆うと共に露出させるシャッタ部１１２と、容器２１が未装着時にシャッタ部１１２が取込開口部１１１ｂを覆うように付勢する付勢部１１３とを有している。
【００５３】
筒状部１１１は、筒状に形成されており、内部に通水路１１１ａが形成されている。更に、筒状部１１１は、図３に示すように、装着機構３０のジョイント保持部材８０の底面部８０ａに立設されて設けられている。
【００５４】
また、筒状部１１１の側面部の先端側には、図４及び図８に示すように、外側に張り出したフランジ部１１４が形成されている。このフランジ部１１４は、外径が開封部材６１の筒状部６２の内径とほぼ同じ大きさとなるように形成されている。そして、フランジ部１１４は、ジョイント部材１１０が開封部材６１の筒状部６２内に差し込まれた際に、開封部材６１の筒状部６２の内周面に圧接される。更に、筒状部１１１の側面部の先端側には、フランジ部１１４よりも基端側に、取込開口部１１１ｂが複数個形成されている。例えば、取込開口部１１１ｂは、筒状部１１１の側面部に等間隔に二個形成されている。なお、取込開口部１１１ｂは、筒状部１１１の側面部に一個又は三個以上形成されるようにしても良く、非等間隔に形成されるようにしても良い。
【００５５】
更に、筒状部１１１の先端面には、先端が先鋭な突破部１１５が形成されている。従って、液体容器２０をジョイント部材１１０に取り付ける際に、この突破部１１５によって保護フィルム５７を切り裂くことが出来るので、容器コネクタ５１から保護フィルム５７を剥がす工程を省略することが出来る。
【００５６】
シャッタ部１１２は、図４及び図８に示すように、筒状に形成されており、筒状部１１１の外周上に筒状部１１１の軸方向に摺動可能に設けられている。更に、シャッタ部１１２は、外径が開封部材６１の筒状部６２の内径とほぼ同じ大きさとなるように形成されている。これにより、シャッタ部１１２は、開封部材６１の筒状部６２内に隙間無く圧入され、シャッタ部１１２と開封部材６１の間から漏水が発生することを防止することが出来る。
【００５７】
また、シャッタ部１１２の外周面の基端部には、外側に張り出した突部１１６が連続又は断続的に形成されている。突部１１６は、シャッタ部１１２が開封部材６１の筒状部６２内に挿入されると、開封部材６１の筒状部６２の基端面に係止される。そして、シャッタ部１１２は、液体容器体２０がジョイント部材１１０の基端側に移動されると、付勢部１１３の付勢力に抗して基端側に移動されて、図８（Ａ）に示すように、筒状部１１１の取込開口部１１１ｂを露出させる。その一方で、シャッタ部１１２は、液体容器体２０をジョイント部材１１０から取り外す等、液体容器体２０がジョイント部材１１０の先端側に移動されると、付勢部１１３の付勢力によって先端側に移動されて、図８（Ｂ）に示すように、筒状部１１１の取込開口部１１１ｂを覆う。
【００５８】
また、図４及び図８に示すように、シャッタ部１１２の外周面の先端部には、外側に張り出すように封止部１１７が設けられている。この封止部１１７は、例えば、外側にリング状に少なくとも１個突設された凸リング部や、ゴムパッキン及びＯリング等の別体の封止部材等で構成されており、シャッタ部１１２の外周面の先端部に設けられている。そして、封止部１１７は、シャッタ部１１２が開封部材６１の筒状部６２内に挿入されると、開封部材６１の筒状部６２の内周面に圧接される。これにより、封止部１１７は、開封部材６１の筒状部６２の内周面とシャッタ部１１２の外周面との隙間から液体漏れが発生しないようにしている。
【００５９】
付勢部１１３は、図３に示すように、例えば圧縮バネ又は永久磁石等で構成されており、筒状部１１１の外周上のジョイント保持部材８０の底面部８０ａとシャッタ部１１２の基端面との間に配設されている。付勢部１１３は、液体容器体２０がジョイント部材１１０に未装着の際やジョイント部材１１０から取り外される際に、シャッタ部１１２の先端面が筒状部１１１のフランジ部１１４の基端面と当接して、シャッタ部１１２が筒状部１１１の取込開口部１１１ｂを覆うように、シャッタ部１１２を先端部（フランジ部１１４）側に付勢する。
【００６０】
＜取付方法＞
次に、以上のような構成を有する給液装置１において、液体容器体２０を装着機構３０に取り付ける取付方法について説明する。
【００６１】
先ず、図１に示すように、当該給液装置１は、本体１０の摺動機構１２が縦幅方向Ｘの一端側（外部側）に摺動されて、装着機構３０が本体１０の空間部１１内から外部に引き出される。
【００６２】
次いで、当該給液装置１は、図１に示すように、液体容器体２０が、容器２１が収納箱２２に収納されたままの状態で、収納箱２２の開封機構４０側を挿入端として、装着機構３０の容器保持部材９０内に挿入される。この際、当該給液装置１は、図９に示すように、液体容器体２０の開封機構４０が容器保持部材９０の凹部９１内に収納されると共に、液体容器体２０の収納箱２２の一端面２２ａと容器保持部材９０の底面部９０ａとが当接するまで、液体容器２０が装着機構３０の容器保持部材９０内に挿入される。
【００６３】
これにより、当該給液装置１は、凹部９１によって、液体容器体２０の開封機構４０の軸線が容器保持部材９０の凹部９１に形成された貫通口９２の軸線と略一致するように、液体容器体２０の開封機構４０が容器保持部材９０に位置決めされる。更に、当該給液装置１は、ジョイント保持部材８０の第三壁部８０ｂ３によって、容器保持部材９０の凹部９１に形成された貫通口９２の軸線がジョイント保持部材８０のジョイント部材１１０の軸線と略一致するように、容器保持部材９０がジョイント保持部材８０に位置決めされているので、液体容器体２０の開封機構４０の軸線がジョイント保持部材８０のジョイント部材１１０の軸線と略一致するように、液体容器体２０の開封機構４０がジョイント保持部材８０に対して位置決めされる。よって、当該給液装置１は、液体容器体２０を容器保持部材９０内に収納するだけの簡単な動作で、液体容器体２０の開封機構４０の軸線とジョイント保持部材８０のジョイント部材１１０の軸線とが一致するように、液体容器体２０をジョイント保持部材８０に対して位置決めすることが出来る。
【００６４】
次いで、当該給液装置１は、液体容器体２０が容器保持部材９０内に収納されると、液体容器体２０の重み等により、図１０に示すように、容器保持部材９０が、ジョイント保持部材８０の側壁部８０ｂ（第三壁部８０ｂ３）にガイドされつつ、ジョイント保持部材８０内を付勢部材１００に抗して高さ方向Ｚの他端側に摺動され始め、図１３に示すように、容器保持部材９０の底面部９０ａとジョイント保持部材８０の側壁部８０ｂのストッパ８３（第二壁部８０ｂ２）とが係止されるまで、ジョイント保持部材８０内を摺動される。
【００６５】
この際、当該給液装置１は、先ず、図１０に示すように、容器保持部材９０が高さ方向Ｚの他端側に付勢部材１００に抗して摺動されることで、ジョイント部材１１０の突破部１１５によって、液体容器体２０の保護フィルム５７が切り裂かれる。従って、当該給液装置１は、液体容器体２０の容器２１から保護フィルム５７を剥がす工程を省略することが出来る。なお、当該給液装置１は、液体容器体２０を容器保持部材９０内に挿入する前に、保護フィルム５７を剥がしておくようにしても良い。
【００６６】
次いで、図１１に示すように、当該給液装置１は、さらに容器保持部材９０が高さ方向Ｚの他端側に付勢部材１００に抗して摺動されると、ジョイント部材１１０のシャッタ部１１２が、シャッタ部１１２の突部１１６と開封部材６１の筒状部６２の基端面とが係止されるまで、開封部材６１内に差し込まれる。この際、ジョイント部材１１０は、シャッタ部１１２が開封部材６１内に隙間無く圧入され、ジョイント部材１１０と開封部材６１の間から漏水が発生することを防止することが出来る。
【００６７】
次いで、図１２に示すように、当該給液装置１は、さらに容器保持部材９０が高さ方向Ｚの他端側に付勢部材１００に抗して摺動されると、シャッタ部１１２が付勢部１１３の付勢力に抗して基端側に移動され、開封部材６１内で筒状部１１１の取込開口部１１１ｂが露出される。
【００６８】
次いで、図１３に示すように、当該給液装置１は、さらに容器保持部材９０が高さ方向Ｚの他端側に付勢部材１００に抗して、容器保持部材９０の底面部９０ａとジョイント保持部材８０の側壁部８０ｂのストッパ８３（第二壁部８０ｂ２）とが係止されるまで摺動されると、容器コネクタ５１が高さ方向Ｚの他端側に移動されるのに伴って、ジョイント部材１１０の刃部６３が容器コネクタ５１の底部の打抜部５４を打ち抜く。更に、図１４に示すように、当該給液装置１は、ジョイント部材１１０の筒状部１１１の取込開口部１１１ｂがコネクタ部５２から露出される。これにより、液体容器体２０の容器２１の内部と開封部材６１の開口部６９とジョイント部材１１０の筒状部１１１の取込開口部１１１ｂと通水路１１１ａとが連通する。これにより、容器２１の液体は、容器コネクタ５１及びジョイント部材１１０を介して給液装置１に供給される。
【００６９】
以上のようにして、当該給液装置１は、液体容器体２０を装着機構３０に取り付けることが出来る。
【００７０】
＜取外方法＞
次に、以上のような構成を有する給液装置１において、液体容器体２０を装着機構３０から取り外す取外方法について説明する。
【００７１】
先ず、図１５に示すように、当該給液装置１は、使用者の操作によって液体容器体２０が装着機構３０に装着された状態から高さ方向Ｚの一端側に持ち上げられると、図１６に示すように、付勢部材１００によって容器保持部材９０が高さ方向Ｚの一端側に移動され、この容器保持部材９０が高さ方向Ｚの一端側に移動されるのに伴って、開封機構４０のコネクタ部５２が高さ方向Ｚの一端側に移動されて、開封機構４０の開封部材６１がコネクタ部５２内に収納される。
【００７２】
次いで、図１７に示すように、当該給液装置１は、さらに容器保持部材９０が高さ方向Ｚの一端側に付勢部材１００によって移動されると、シャッタ部１１２が付勢部１１３の付勢力によって高さ方向Ｚの一端側に移動されて、シャッタ部１１２によって開封部材６１内で筒状部１１１の取込開口部１１１ｂが覆われる。
【００７３】
次いで、図１８に示すように、当該給液装置１は、さらに容器保持部材９０が高さ方向Ｚの一端側に付勢部材１００によって移動されると、シャッタ部１１２が開封部材６１内から取り出され、シャッタ部１１２の突部１１６と開封部材６１の筒状部６２の基端面との係止状態が解除され、開封機構４０がジョイント部材１１０から離脱する。
【００７４】
次いで、図１９に示すように、当該給液装置１は、さらに液体容器体２０が高さ方向Ｚの一端側に持ち上げられると、液体容器体２０が容器保持部材９０内から取り出され、液体容器体２０が装着機構３０から離脱する。
【００７５】
以上のようにして、当該給液装置１は、液体容器体２０を装着機構３０から取り外すことが出来る。
【００７６】
＜作用効果＞
以上のように、本発明を適用した給液装置１は、容器コネクタ５１のコネクタ部５２の内周面内に収納された開封部材６１がジョイント部材１１０の挿入ガイド部として機能することから、ジョイント部材１１０が漏水を防止することが出来る。すなわち、給液装置１は、液体が満杯に入った重い容器２１を有する液体容器体２０を、容易に正しく装着機構３０に装着することが出来る。
【００７７】
また、給液装置１は、液体容器体２０の未装着時において、ジョイント部材１１０の筒状部１１１の取込開口部１１１ｂがシャッタ部１１２によって覆われている。更に、ジョイント部材１１０は、液体容器体２０が取り付けられる際、シャッタ部１１２が開封部材６１内に差し込まれた後に、開封部材６１内で筒状部１１１の取込開口部１１１ｂを露出させる動作が行われる。更に、ジョイント部材１１０は、液体容器体２０が取り外される際、シャッタ部１１２が開封部材６１内に差し込まれた状態で、開封部材６１内で筒状部１１１の取込開口部１１１ｂを覆う動作が行われる。従って、ジョイント部材１１０は、液体容器体２０の未装着時、取り付け時、取り外し時の何れの際にも、筒状部１１１の取込開口部１１１ｂが外部と遮断されており、筒状部１１１の取込開口部１１１ｂに塵埃や雑菌等が付着することを防止することが出来る。よって、給液装置１は、筒状部１１１の取込開口部１１１ｂから塵埃や雑菌等が給液装置１の内部に侵入することを防止することが出来、衛生状態を維持することが出来る。
【００７８】
更に、給液装置１は、上述したように、液体容器体２０の未装着時において、シャッタ部１１２がジョイント部材１１０の筒状部１１１の取込開口部１１１ｂを覆っているので、筒状部１１１の取込開口部１１１ｂ（フランジ部１１４の基端面及びシャッタ部１１２の先端面）に塵埃や雑菌等が付着することを防止することは出来るが、フランジ部１１４の先端面及びシャッタ部１１２の外周面には塵埃や雑菌等が付着する虞がある。
【００７９】
しかしながら、給液装置１は、図１４に示すように、液体容器体２０の容器２１の液体が給液装置１に供給される際、ジョイント部材１１０のフランジ部１１４は開封部材６１の筒状部６２の内周面に圧接されているので、開封部材６１の筒状部６２内のフランジ部１１４よりも基端側の空間部は密閉されている。すなわち、給液装置１は、ジョイント部材１１０のフランジ部１１４の先端面が容器２１の液体と接触することを防止している。従って、給液装置１は、ジョイント部材１１０のフランジ部１１４の先端面側に塵埃や雑菌等が付着していても、フランジ部１１４の先端面に付着された塵埃や雑菌等が筒状部１１１の取込開口部１１１ｂから給液装置１の内部に侵入することを防止することが出来、衛生状態を維持することが出来る。
【００８０】
更に、給液装置１は、シャッタ部１１２の封止部１１７が開封部材６１の筒状部６２の内周面に圧接されているので、封止部１１７によって、シャッタ部１１２の外周面が容器２１の液体と接触することを防止している。従って、給液装置１は、シャッタ部１１２の外周面に塵埃や雑菌等が付着していても、シャッタ部１１２の外周面に付着された塵埃や雑菌等が筒状部１１１の取込開口部１１１ｂから給液装置１の内部に侵入することを防止することが出来、衛生状態を維持することが出来る。
【００８１】
また、給液装置１は、図３に示すように、装着機構３０のジョイント保持部材８０の底面部８０ａに、高さ方向Ｚの一端側に向けて突部８１が突設されており、突部８１上にジョイント部材１１０が取り付けられているので、例えば液体容器体２０がジョイント部材１１０から取り外された際に液体がジョイント保持部材８０にこぼれても、従来の給液装置のようにジョイント部材が凹状の装着部の底面に設けられていないので、容易に液体や塵埃や雑菌等を拭きとることが出来、従来よりも簡単に掃除をすることが出来る。従って、当該給液装置１は、従来よりも容易に衛生状態を維持することが出来る。
【００８２】
更に、給液装置１は、ジョイント保持部材８０の底面部８０ａに、突部８１の周辺に突部８１よりも一段低い低部８２が設けられており、こぼれた液体がこの低部８２に溜るので、ジョイント部材１１０と突部８１との間から漏水が発生することを防止することが出来る。更に、給液装置１は、こぼれた液体が低部８２に溜るので、従来の給液装置よりも、容易に液体を拭きとることが出来、従来よりも簡単に掃除をすることが出来る。従って、当該給液装置１は、従来よりも容易に衛生状態を維持することが出来る。
【００８３】
更に、給液装置１は、容器保持部材９０がジョイント保持部材８０に着脱可能に設けられているので、ジョイント部材１１０及びその周囲を掃除する際、容器保持部材９０をジョイント保持部材８０から取り外すことが出来る。従って、給液装置１は、簡単にジョイント部材１１０及びその周囲を掃除することが出来る。従って、当該給液装置１は、従来よりも容易に衛生状態を維持することが出来る。
【００８４】
また、給液装置１は、ジョイント保持部材８０の側壁部８０ｂによって、ジョイント保持部材８０のジョイント部材１１０の軸線と容器保持部材９０の凹部９１に形成された貫通口９２の軸線とが略一致するように位置決めされている。更に、給液装置１は、液体容器体２０が、容器２１が収納箱２２に収納されたままの状態で、収納箱２２の開封機構４０側を挿入端として、装着機構３０の容器保持部材９０内に挿入され、液体容器体２０の開封機構４０が容器保持部材９０の凹部９１内に収納されると、液体容器体２０の開封機構４０の軸線と容器保持部材９０の凹部９１に形成された貫通口９２の軸線とが略一致するように位置決めされる。すなわち、給液装置１は、液体容器体２０の開封機構４０が容器保持部材９０の凹部９１内に収納されると、液体容器体２０の開封機構４０の軸線とジョイント保持部材８０のジョイント部材１１０の軸線とが略一致するように位置決めされる。従って、給液装置１は、液体容器体２０を、容器２１が収納箱２２に収納されたままの状態で、収納箱２２の開封機構４０側を挿入端として、装着機構３０の容器保持部材９０内に挿入するといった簡単な動作を行うことで、液体容器体２０の開封機構４０の軸線とジョイント保持部材８０のジョイント部材１１０の軸線とが略一致するように配置することが出来、液体容器体２０を、容易に正しく装着機構３０に装着することが出来る。
【００８５】
更に、給液装置１は、液体容器体２０が容器保持部材９０内に挿入され、液体容器体２０の開封機構４０が容器保持部材９０の凹部９１内に収納されると、液体容器体２０の開封機構４０の軸線と容器保持部材９０の凹部９１に形成された貫通口９２の軸線とが略一致するように位置決めされるので、例えば液体容器体２０の収納箱２２が輸送時や保管時に潰れる等の変形等しても、液体容器体２０の開封機構４０の軸線と容器保持部材９０の凹部９１に形成された貫通口９２の軸線とが略一致するように位置決めすることができ、液体容器体２０を、容易に正しく装着機構３０に装着することが出来る。
【００８６】
更に、給液装置１は、ジョイント保持部材８０の側壁部８０ｂによって、容器保持部材９０がジョイント部材１１０の軸方向（高さ方向Ｚ）に摺動可能に設けられている。従って、給液装置１は、液体容器体２０が、容器２１が収納箱２２に収納されたままの状態で、収納箱２２の開封機構４０側を挿入端として、装着機構３０の容器保持部材９０内に挿入されると、容器保持部材９０がジョイント部材１１０の軸方向（高さ方向Ｚ）の他端側に摺動されて、ジョイント部材１１０を容器保持部材９０に保持された液体容器体２０の開封機構４０に連結することが出来る。よって、給液装置１は、液体容器体２０を、容器２１が収納箱２２に収納されたままの状態で、収納箱２２の開封機構４０側を挿入端として、装着機構３０の容器保持部材９０内に挿入するといった簡単な動作を行うことで、液体容器体２０を、容易に正しく装着機構３０に装着することが出来る。
【００８７】
＜変形例＞
なお、液体容器体２０は、容器２１と、容器２１が収納される収納箱２２とで構成されることに限定されるものではなく、容器２１のみで構成されるようにしても良い。このような収納箱２２が無い容器２１のみの液体容器体２０であっても、容器保持部材９０内に挿入され、液体容器体２０の開封機構４０が容器保持部材９０の凹部９１内に収納されることで、液体容器体２０の開封機構４０の軸線と容器保持部材９０の凹部９１に形成された貫通口９２の軸線とが略一致するように位置決めすることが出来るので、容易に正しく装着機構３０に装着することが出来る。
【００８８】
更に、ジョイント部材１１０は、シャッタ部１１２に封止部１１７を設けることなく、シャッタ部１１２の外周面が開封部材６１の筒状部６２の内周面に圧接されるように設けても良い。このような場合であっても、ジョイント部材１１０は、開封部材６１の筒状部６２の内周面とシャッタ部１１２の外周面との隙間から液体漏れが発生しないようにすることが出来る。更に、容器２１の液体が給液装置１に供給される際には、シャッタ部１１２の外周面は開封部材６１の筒状部６２の内周面に圧接されているので、シャッタ部１１２は先端面以外容器２１の液体と接触することがなく、シャッタ部１１２の外周面が容器２１の液体と接触することはない。従って、ジョイント部材１１０は、シャッタ部１１２の外周面に塵埃や雑菌等が付着していても、シャッタ部１１２の外周面に付着された塵埃や雑菌等が筒状部１１１の取込開口部１１１ｂから給液装置１内に侵入することを防止することが出来、衛生状態を維持することが出来る。
【符号の説明】
【００８９】
１  給液装置、１０  本体、１０ａ  前面、１１  空間部、１２  摺動機構、１２ａ  摺動板、２０  液体容器体、２１  容器、２２  収納箱、２３  貫通口、２４  ネック部、２４ａ  ネック側嵌合部、３０  装着機構、４０  開封機構、５１  容器コネクタ、５２  コネクタ部、５３  取付部、５３ａ  第一筒状部、５３ｂ  第二筒状部、５３ｃ  取付部側嵌合部、５４  打抜部、５４ａ  薄肉線、５４ｂ  凹部、５５  ストッパ、５６  係止部、５７  保護フィルム、６１  開封部材、６２  筒状部、６３  刃部、６４  連通部、６５  凹部、６６  突部、６７  封止部、６８  封止部、６９  開口部、７０  昇降機構、８０  ジョイント保持部材、８０ａ  底面部、８０ｂ  側壁部、８０ｂ１  第一壁部、８０ｂ２  第二壁部、８０ｂ３  第三壁部、８１  突部、８２  低部、８３  ストッパ、９０  容器保持部材、９０ａ  底面部、９０ｂ  側壁部、９１  凹部、９２  貫通口、９３  突条部、９４  把持部、１００  付勢部材、１１０  ジョイント部材、１１１  筒状部、１１１ａ  通水路、１１１ｂ  取込開口部、１１２  シャッタ部、１１３  付勢部、１１４  フランジ部、１１５  突破部、１１６  突部、１１７  封止部
【図１】
2015037964.tif 000003
【図２】
2015037964.tif 000004
【図３】
2015037964.tif 000005
【図４】
2015037964.tif 000006
【図５】
2015037964.tif 000007
【図６】
2015037964.tif 000008
【図７】
2015037964.tif 000009
【図８】
2015037964.tif 000010
【図９】
2015037964.tif 000011
【図１０】
2015037964.tif 000012
【図１１】
2015037964.tif 000013
【図１２】
2015037964.tif 000014
【図１３】
2015037964.tif 000015
【図１４】
2015037964.tif 000016
【図１５】
2015037964.tif 000017
【図１６】
2015037964.tif 000018
【図１７】
2015037964.tif 000019
【図１８】
2015037964.tif 000020
【図１９】
2015037964.tif 000021